(57)【要約】【課題】様々な局所空間に存在する様々なデバイスをネットワークを介して操作してそれらのサービスの連携を実現する方法及びシステムにおいて操作対象となる複数のデバイスに対する能動的な利用権をユーザが個別に取得する必要がないようにすることにある。【解決手段】様々な局所空間内に存在する様々なデバイスをネットワークを介して操作してそれらのサービスの連携を実現する方法において、各局所空間内に存在する様々なデバイスを管理する局所空間管理機構と通信する仲介機構により、前記サービスの連携の実現に必要な複数の局所空間内のデバイスの利用権を収集し、前記サービスの連携を実現するサービスシナリオ生成し、ユーザの持つＩＣカードに格納することを特徴とする。【選択図】        図２
2004265019.tif 000002
【特許請求の範囲】
【請求項１】
様々な局所空間内に存在する様々なデバイスとデバイス上で動作するサービスをネットワークを介して操作してそれらのサービスの連携を実現する方法において、
各局所空間内に存在する様々なデバイスとデバイス上で動作するサービスを管理する局所空間管理機構と通信する仲介機構に対して、サービスシナリオを要求するサービスシナリオ要求手順と、
サービスシナリオ要求に応答して、仲介機構が前記サービスシナリオの実現に必要な複数の局所空間内のデバイスとデバイス上で動作するサービスの利用権を収集し、前記サービスシナリオを生成するサービスシナリオ生成手順と、
仲介機構からのサービスシナリオをユーザの持つＩＣカードに格納するサービスシナリオ配信手順と、
ＩＣカードに格納されたサービスシナリオを実行してサービスを利用するサービスシナリオ利用手順と、
を具えることを特徴とするサービス連携方法。
【請求項２】
前記サービスシナリオ要求手順は、ユーザがＩＣカードを当該局所空間内のデバイスを介して、ユーザが利用する意思のある複数の局所空間内のデバイスを仲介機構に指示することによりサービスシナリオを要求することを特徴とする請求項１記載のサービス連携方法。
【請求項３】
前記サービスシナリオ要求手順は、前記仲介機構が自らサービスシナリオ要求を出し、該サービスシナリオの実現に必要な複数のデバイスを指示することを特徴とする請求項１記載のサービス連携方法。
【請求項４】
前記サービスシナリオ生成手順は、仲介機構が、前記サービスシナリオ要求で指示された複数の局所空間内のデバイスとデバイス上で動作するサービスを管理する局所空間管理機構に対して、前記サービスシナリオの実現に必要な複数のデバイスとデバイス上で動作するサービスの利用権申請を行い、局所空間管理機構が利用申請されたデバイスとデバイス上で動作するサービスを検索し、利用可能であれば、利用権を取得して仲介機構に送り、仲介機構がこれらの利用権を収集し、まとめて、前記サービスの連携を実現するサービスシナリオを生成することを特徴とする請求項１−３の何れかに記載のサービス連携方法。
【請求項５】
前記サービスシナリオ配信手順はサービスシナリオ配信要求と一緒にＩＣカードから送られてくるユーザ情報の確認後に、要求されたサービスシナリオを前記局所空間管理機構を介して前記デバイスに配信し、ＩＣカードに格納することを特徴とする請求項１−４の何れかに記載のサービス連携方法。
【請求項６】
前記サービスシナリオ利用手順は、ユーザがサービスシナリオが格納されたＩＣカードを当該局所空間内の前記デバイスを介してサービス利用要求を行うと、前記デバイスとデバイス上で動作するサービスを管理する局所空間管理機構がそのサービス利用要求を仲介機構へ送り、仲介機構が該サービスシナリオを構成する種々のデバイスとデバイス上で動作するサービスの利用権を確認し、利用許可をそれぞれの局所空間管理機構を介してそれぞれのデバイスに配信し、それぞれのデバイスとデバイス上で動作するサービスをサービスシナリオに従って操作可能とすることを特徴とする請求項１−５の何れかに記載の方法。
【請求項７】
局所空間内に存在する種々のデバイスと通信を行い、これらのデバイスとデバイス上で動作するサービスを管理する局所空間管理機構と、様々な局所空間管理機構と通信を行い、ある局所空間内のユーザが他の局所空間内のデバイスとデバイス上で動作するサービスを利用可能とする仲介機構とを具えるネットワークシステムにおいて、仲介機構が、サービスシナリオ要求に応答して該サービスシナリオの実現に必要な複数の局所空間管理機構と通信し、複数の局所空間内に存在する種々のデバイスとデバイス上で動作するサービスの利用権を収集し、複数のデバイスにより提供されるサービスの連携を実現するサービスシナリオを生成する機能を有することを特徴とするサービス連携ネットワークシステム。
【請求項８】
前記仲介機構は、種々の局所空間管理機構に対して、前記サービスシナリオの実現に必要な複数のデバイスとデバイス上で動作するサービスの利用権申請を行う機能を有し、局所空間管理機構は利用申請されたデバイスとデバイス上で動作するサービスを検索し、利用可能であれば、利用権を取得して仲介機構に送る機能を有することを特徴とする請求項７記載のシステム。
【請求項９】
前記局所管理機構は、ユーザのＩＣカードから当該局所空間内のデバイスを介して送付されるサービスシナリオ配信要求を前記仲介機構に送る機能を有し、前記仲介機構は、前記サービスシナリオと一緒に送られてきたユーザ情報の確認後に、生成したサービスシナリオを当該局所空間内の所空間管理機構を介して前記デバイスに配信し、ユーザのＩＣカードに格納することを特徴とする請求項７又は８記載のシステム。
【請求項１０】
前記局所空間管理機構はサービスシナリオが格納されたＩＣカードからのサービス利用要求を仲介機構へ送る機能を有し、仲介機構は該サービスシナリオを構成する種々のデバイスとデバイス上で動作するサービスの利用権を確認し、利用許可をそれぞれの局所空間管理機構を介してそれぞれのデバイスに配信し、それぞれのデバイスとデバイス上で動作するサービスをサービスシナリオに従って操作可能とする機能を有することを特徴とする請求項７−９の何れかに記載のシステム。
【発明の詳細な説明】
【０００１】
【発明の属する技術分野】
本発明は、遠隔地に存在する様々なデバイスとデバイス上で動作するサービスをネットワークを介して操作してそれらのサービスを連携させる方法及びシステムに関するものである
【０００２】
【従来技術】
近年、ＩＰｖ６などの通信技術や情報家電の発達により、遠隔地に存在する様々なデバイスとデバイス上で動作するサービスをユーザがネットワークを介して操作することが可能となりつつある。
このようなネットワークを介してデバイスとデバイス上で動作するサービスを操作するネットワークシステムでは、ユーザはネットワーク上に存在する複数のデバイスとデバイス上で動作するサービスを操作して、それらのサービスを連携させることが可能となる。例えば、ユーザはホテルの部屋からリモコンを使い、サッカー場にあるＴＶカメラを制御し、好きな選手の撮影を行い、撮影したコンテンツを自宅のビデオデッキのテープに録画するなどのサービスの実現が可能となる。この場合、正当な権利を持ったユーザが安全にネットワーク上に存在するデバイスとデバイス上で動作するサービスを利用可能とする必要があり、このために、高いセキュリティと携帯性を有するＩＣカードを用いて本人性や個々のデバイスに対する利用権を保証することが提案されている（例えば、特許文献１参照）。
【０００３】
【特許文献１】
特願平１３−３６０２８７号公報
【０００４】
しかし、このような複数のデバイスとデバイス上で動作するサービスの操作を行う場合には、操作対象となる複数のデバイスに対する能動的な利用権を個別に取得することを行わなければならず、ユーザ自らがその調整を行わなければならない問題があった。
【０００５】
【発明が解決しようとする課題】
本発明の目的は、遠隔地に存在する様々なデバイスとデバイス上で動作するサービスをネットワークを介して操作してそれらのサービスを連携させる方法及びシステムにおいて操作対象となる複数のデバイスとデバイス上で動作するサービスに対する能動的な利用権をユーザが個別に取得する必要がないようにすることにある。
【０００６】
【課題を解決するための手段】
本発明は、様々な局所空間内に存在する様々なデバイスとデバイス上で動作するサービスをネットワークを介して操作してそれらのサービスの連携を実現する方法において、
各局所空間内に存在する様々なデバイスとデバイス上で動作するサービスを管理する局所空間管理機構と通信する仲介機構に対して、サービスシナリオを要求するサービスシナリオ要求手順と、
サービスシナリオ要求に応答して、仲介機構が前記サービスシナリオの実現に必要な複数の局所空間内のデバイスとデバイス上で動作するサービスの利用権を収集し、前記サービスシナリオを生成するサービスシナリオ生成手順と、
仲介機構からのサービスシナリオをユーザの持つＩＣカードに格納するサービスシナリオ配信手順と、
ＩＣカードに格納されたサービスシナリオを実行してサービスを利用するサービスシナリオ利用手順と、
を具えることを特徴とする。
【０００７】
本発明は、局所空間内に存在する種々のデバイスと通信を行い、これらのデバイスとデバイス上で動作するサービスを管理する局所空間管理機構と、様々な局所空間管理機構と通信を行い、ある局所空間内のユーザが他の局所空間内のデバイスとデバイス上で動作するサービスを利用可能とする仲介機構とを具えるネットワークシステムにおいて、仲介機構が、サービスシナリオ要求に応答して該サービスシナリオに実現に必要な複数の局所空間管理機構と通信し、複数の局所空間内に存在する種々のデバイスとデバイス上で動作するサービスの利用権を収集し、複数のデバイスにより提供されるサービスの連携を実現するサービスシナリオを生成する機能を有することを特徴とする。
【０００８】
【発明の実施の形態】
図１は本発明のサービス連携システムの構成を示す。図１において、１Ａ，１Ｂ，１Ｃは局所空間Ａ，Ｂ，Ｃ内に存在する、例えばパソコンや、プリンタや、ビデオカメラや、ビデオデッキ等のデバイスであり、２Ａ，２Ｂ，２Ｃは局所空間Ａ，Ｂ，Ｃ内に存在するデバイスとデバイス上で動作するサービスを管理する局所空間管理機構であり、３は局所空間管理機構２Ａ，２Ｂ，２Ｃと通信し、複数の局所空間Ａ，Ｂ，Ｃ内に存在する種々のデバイスとデバイス上で動作するサービスの利用権を収集し、複数のデバイスとデバイス上で動作するサービスを連携したサービスを提供する仲介機構であり、４はＩＣカードである。
【０００９】
デバイス１Ａ，１Ｂ，１Ｃはそれぞれを特定するためのＩＤ情報やサービス情報や利用条件などの「デバイス情報」を保持するデバイス特定機能１１と、局所空間管理機構２Ａ，２Ｂ，２Ｃと通信する通信機能１２を有する。局所空間管理機構２Ａ，２Ｂ，２Ｃは局所空間Ａ，Ｂ，Ｃ内に存在するデバイス及び仲介機構３と通信する通信機能２１と、それぞれの局所空間Ａ，Ｂ，Ｃ内のデバイスからデバイス情報を収集し管理するとともにそれらの利用権を収集し管理する局所空間管理機能２２を有する。仲介機構３は局所空間管理機構２Ａ，２Ｂ，２Ｃと通信を行う仲介機能３１と、複数の局所空間Ａ，Ｂ，Ｃ内に存在する種々のデバイスとデバイス上で動作するサービスの利用権を収集し、複数のデバイスにより提供されるサービスを連携させるサービスシナリオを生成するサービス連携機能３２を有する。ＩＣカード４はＩＣカードリーダライタを持つパーソナルコンピュータ（以下パソコンと略称する）などのコンピューティング資源を介して局所空間管理機構と通信する通信機能４１と、サービスシナリオを格納するサービスシナリオ保持機能４２を有する。
【００１０】
このシステムにおいて、様々な局所空間に存在する様々なデバイスとデバイス上で動作するサービスを局所空間管理機構及び仲介機構からなるネットワークを介して操作してそれらのサービスの連携を実現する手順は、
（１）各局所空間内に存在する様々なデバイスとデバイス上で動作するサービスを管理する局所空間管理機構と通信する仲介機構に対して、サービスシナリオを要求するサービスシナリオ要求手順と、
（２）サービスシナリオ要求に応答して、仲介機構が前記サービスシナリオの実現に必要な複数の局所空間内のデバイスとデバイス上で動作するサービスの利用権を収集し、前記サービスシナリオを生成するサービスシナリオ生成手順と、
（３）仲介機構からのサービスシナリオをユーザの持つＩＣカードに格納するサービスシナリオ配信手順と、
（４）ＩＣカードに格納されたサービスシナリオを実行してサービスを利用するサービスシナリオ利用手順と、
により達成される。
【００１１】
図２はサービスシナリオ要求手順およびサービスシナリオ生成手順を示す。
局所空間Ａ内のユーザが自分のＩＣカードをパソコンのようなデバイス１Ａを介して局所空間管理機構２Ａと通信させ、サービスシナリオを要求すると、仲介機構２Ａがこの要求を仲介機構３に送る。このサービスシナリオ要求はユーザが連携させて利用したい複数の局所空間内のデバイス、例えば１Ａ，１Ｂ，１Ｃ、を指示する情報を含む。
仲介機構３のサービス連携機能３２はこのサービスシナリオ要求に応答して、このサービスシナリオ要求で指定された複数の局所空間内のデバイス１Ａ，１Ｂ，１Ｃを管理する局所空間管理機構２Ａ，２Ｂ，２Ｃに対して、前記サービスシナリオの実現に必要な複数のデバイスとデバイス上で動作するサービスの利用権申請を行う。この利用権申請はユーザが希望する利用時間について行うこと勿論であり、この時間情報はユーザがサービスシナリオ要求と一緒に送ってもよいし、仲介機構からユーザに問い合わせてもよい。局所空間管理機構２Ａ，２Ｂ，２Ｃは利用申請されたデバイス１Ａ，１Ｂ，１Ｃを利用時間について検索し、利用可能であれば、利用権を取得してそのＩＤ情報等のデバイス情報とともに仲介機構のサービス連携機能に送る。仲介機構３のサービス連携機能３２は、サービスシナリオ要求に含まれる利用時間情報に基づいて局所空間Ａ，Ｂ，Ｃ内のデバイス１Ａ，１Ｂ，１Ｃの利用権を収集し、これらのデバイスにより提供されるサービスの連携を実現するサービスシナリオを生成し、サービスシナリオ生成通知をユーザに送る。
尚、ここでは各デバイスの利用権の管理は局所空間管理機構が行っているが、各デバイスがインテリジェントなデバイスであれば、デバイス自ら管理する場合もある。
【００１２】
図３はサービスシナリオ配信手順を示す。
局所空間Ａ内のユーザが、サービスシナリオ生成通知に応答して、仲介機構３にサービスシナリオ配信要求を送ると、仲介機構３は該ユーザに対し利用料金等の配信条件の確認を行うとともに該ユーザのＩＣカードから送られてくるユーザ情報の確認を行い、配信条件とユーザ情報の確認後に、生成されたサービスシナリオを局所空間管理機構２Ａを介してデバイス１Ａに配信し、ＩＣカードに格納する。
尚、この配信は、前記サービスシナリオ要求後の任意の時間に行うこともできる。
また、ユーザ情報の認証は、サービスシナリオ生成前に行うこともできる。
【００１３】
図４はサービスシナリオ利用手順を示す。局所空間Ａ内のユーザがサービスシナリオが格納されたＩＣカードをパソコンのようなデバイス１Ａを介して局所空間管理機構２Ａと通信させ、サービス利用要求を行うと、局所空間管理機構２Ａがそのサービス利用要求を仲介機構３へ送る。仲介機構３は該サービスシナリオを構成する局所空間Ａ，Ｂ，Ｃ内の利用可能デバイスの利用権を確認し、利用可能な場合に利用許可をそれぞれの局所空間管理機構２Ａ，２Ｂ，２Ｃを介してそれぞれのデバイスに配信し、それぞれのデバイスをサービスシナリオに従って操作可能とする。従って、局所空間Ａ内のユーザは、例えば、局所空間Ａ内のデバイス１Ａで局所空間Ｂ及びＣ内のデバイス１Ｂ及び１Ｃを操作して、これらのデバイスにより提供されるサービスの連携を実現することができる。
【００１４】
【実施例】
このシステムの機能を、ユーザがホテルの部屋からサッカー場にあるＴＶカメラを制御し自宅のビデオデッキに録画するサービスを提供する場合について説明する。この場合には、局所空間Ａがホテルの部屋で、デバイス１Ａがパソコンであり、局所空間Ｂがサッカー場で、デバイス１ＢがＴＶカメラであり、局所空間Ｃが自宅で、デバイス１Ｃがビデオデッキである。
【００１５】
この場合には、ホテルの部屋Ａ内のユーザが、自分のＩＣカードを室内のパソコン１Ａを介して仲介機構３に、例えば午後７時から９時まで行われるサッカーの試合をホテルの部屋からサッカー場にあるＴＶカメラを制御し自宅のビデオデッキに録画するために使用するデバイスとしてホテルの部屋Ａ内のパソコン、サッカー場Ｂ内のＴＶカメラ、自宅Ｃのビデオデッキを指示するサービスシナリオ要求を送ると、仲介機構３のサービス連携機能３２が、ユーザに対し希望利用時間を問い合わせ、局所空間管理機構２Ａ，２Ｂ，２Ｃに対してそれぞれパソコン、ＴＶカメラ、ビデオデッキの利用権申請を希望利用時間について行う。局所空間管理機構２Ａはホテルの部屋Ａ内のパソコンを検索し、そのカメラ操作サービスが利用可能であれば、その利用権を取得してそのＩＤ情報、サービス情報及び利用可能時間などの利用条件情報とともに仲介機構３のサービス連携機能３２に送る。局所空間管理機構２Ｂはサッカー場Ｂ内の複数のカメラを検索し、どれかが撮影サービス可能であれば、その利用権を取得してそのＩＤ情報、サービス情報及び利用可能時間や料金などの利用条件情報とともに仲介機構３のサービス連携機能３２に送る。局所空間管理機構２Ｃは自宅Ｃのビデオデッキを検索し、その録画サービスが利用可能であれば、その利用権を取得してそのＩＤ情報、サービス情報及び利用可能時間などの利用条件情報とともに仲介機構３のサービス連携機能３２に送る。仲介機構３のサービス連携機能３２は午後７時から午後９時までのホテルの部屋内のパソコンのカメラ操作利用権と、サッカー場のカメラの撮影利用権と、自宅のビデオの録画利用権を収集し、これらをまとめて、ホテルの部屋からサッカー場にあるＴＶカメラを制御し自宅のビデオデッキに録画するサービスを実現するサービスシナリオを生成し、料金などの配信条件及びユーザ情報の確認後に、要求されたサービスシナリオをホテルの部屋Ａの局所空間管理機構２Ａを介して室内のパソコン１Ａに配信し、ＩＣカードに格納する。
【００１６】
ホテルの部屋Ａ内のユーザは、サッカーの試合開始時間に合わせて、サービスシナリオが格納されたＩＣカードを室内のパソコン１Ａを介して局所空間管理機構２Ａと通信させ、サービス利用要求を行うと、局所空間管理機構２Ａがそのサービス利用要求を仲介機構３へ送る。仲介機構３は該サービスシナリオを構成するホテル室内パソコン、サッカー場のカメラ及び自宅のビデオデッキの使用可能時間などの利用権を確認し、それぞれの利用許可をそれぞれの局所空間管理機構Ａ，Ｂ，Ｃを介してそれぞれのデバイスに配信し、それぞれのデバイスをサービスシナリオに従って操作可能とする。従って、ホテルの部屋Ａ内のユーザは、ホテルの部屋の局所空間管理機構２Ａが管理するパソコン１Ａを用いて、仲介機構３の仲介機能３２を介して、サッカー場Ｂの局所空間管理機構２Ｂが管理する利用許可されたカメラ２Ｂを操作し、自分好みに撮影した映像をホテルの室内のＴＶに表示するとともに、自宅Ｃの利用許可されたビデオデッキ２Ｃに撮影した映像を録画することができる。
【００１７】
尚、上述した実施例では、ユーザがＩＣカードを当該局所空間内のデバイスを介して、ユーザが利用する意思のある複数の局所空間内のデバイスを仲介機構に指定することにより仲介機構が要求されたサービスシナリオを生成するよう構成したが、仲介機構が自ら前記サービスシナリオ要求を出し、種々の局所空間管理機構に対して、該サービスシナリオの実現に必要な複数のデバイスとデバイス上で動作するサービスの利用権申請を行い、局所空間管理機構が利用申請されたデバイスを検索し、利用可能であれば、利用権を取得して仲介機構に送り、仲介機構がこれらの利用権を収集し、まとめて、前記サービスの連携を実現するサービスシナリオを生成して保持し、ユーザがＩＣカードを当該局所空間内のデバイスを介してサービスシナリオ配信を要求すると、仲介機構が該当するサービスシナリオをユーザのＩＣカードに配信するよう構成することもできる。
【００１８】
本発明は上述の実施例に限定されず、種々の利用シーンが考えられ、例えば、ホテルの部屋や自宅から会議室やコンサートホール内、または街頭などに設置されたビデオカメラを操作して、会議やコンサートの模様や街頭の様子を自宅のＴＶで見たり、ビデオデッキに録画するなどのサービスを提供することができる。
また、上述の実施例では、仲介機構は様々な局所空間内のデバイスにより提供されるサービスを連携させているが、仲介機構はｗｗｗサービスを実行するサービスサーバと通信を行い、サービスサーバも管理するものとすれば、デバイスにより提供されるサービスとサービスサーバにより提供されるサービスを連携させることができる。
【００１９】
【発明の効果】
本発明のサービス連携方法及びシステムによれば、ユーザは、ネットワーク上の複数のデバイスの連携により提供されるサービスを、操作対象となる複数のデバイスに対する利用権の個別の取得やそのための調整を行わずにサービスを利用することができる。
また、デバイスの提供者やサービスの提供者は、他のデバイスやサービスと連携させることで、デバイスやサービスの利用に対し付加価値をつけてサービスを提供することができ、ユーザの囲い込みができる。
【図面の簡単な説明】
【図１】本発明のサービス連携システムの構成図を示す。
【図２】本発明のサービス連携方法におけるサービスシナリオ要求手順及びサービスシナリオ生成手順を示すシーケンス図である。
【図３】本発明のサービス連携方法におけるサービスシナリオ配信手順を示すシーケンス図である。
【図４】本発明のサービス連携方法におけるサービスシナリオ利用手順を示すシーケンス図である。
【符号の説明】
１Ａ，１Ｂ，１Ｃ  デバイス
１１  デバイス特定機能
１２  通信機能
２Ａ，２Ｂ，２Ｃ  局所空間管理機構
２１  通信機能
２２  局所空間管理機能
３  仲介機構
３１  通信機能
３２  サービス連携機能
４  ＩＣカード
４１  通信機能
４２  サービスシナリオ保持機能
【図１】
2004265019.tif 000003
【図２】
2004265019.tif 000004
【図３】
2004265019.tif 000005
【図４】
2004265019.tif 000006